(57)【特許請求の範囲】
【請求項１】
各住戸毎に付与された住戸番号を設定する住戸番号設置手段と、住戸番号の登録を要求する住戸番号登録要求手段と、伝送通信路へ住戸番号登録要求データを送信すると共に伝送通信路を介して住戸番号の可否データ及び登録要求ポーリングデータを受信する第１の通信手段と、住戸番号登録の可否の結果を住戸番号設定者に対して報知する報知手段と、住戸番号の登録要求が発生したことを前記登録要求手段で検知した時に、前記住戸番号設置手段で設定された住戸番号を含んだ住戸番号登録要求データを前記第１の通信手段により前記伝送通信路に送信するように制御すると共に、前記第１の通信手段により受信した住戸番号登録の可否データで住戸番号の登録の可否を認識し、その認識結果を住戸番号登録設定者に報知するように前記報知手段を制御する演算制御手段とから構成される複数のインターホンと、
前記伝送通信路を介して信号を送受信する第２の通信手段と、住戸番号を記憶する不揮発性メモリと、前記第２の通信手段により受信した住戸番号登録要求データ内に含まれる住戸番号が登録可能であるか否かを判断し、登録可能と判断された場合は登録可データを、登録不可能と判断された場合は登録不可データを前記第２の通信手段により送信すると共に、前記不揮発性メモリにもし登録可能であれば前記住戸番号を記憶するように制御する制御手段とを有する主装置とを備え、
前記住戸番号設置手段で設定された住戸番号が特定の住戸番号であることを認識する特定住戸番号認識手段を前記インターホンに設け、
前記特定住戸番号認識手段が特定電話番号を認識した時の信号を演算制御手段が検出することにより、該演算制御手段から出力される住戸番号削除データを前記第１の通信手段を介して伝送通信路に送出し、この住戸番号削除データを前記第２の通信手段により受信した主装置の前記制御手段は該住戸番号削除データ内にある住戸番号を不揮発性メモリから削除するように構成される、
集合住宅用インターホンシステム。
【請求項２】
一定時間計時した時に信号を出力するタイマ手段をインターホンに設け、このタイマ手段は演算制御手段が住戸番号登録要求手段からの登録要求を検出した時に起動されると共に、このタイマ手段が一定時間計時するまでに住戸番号登録の可否データを受信できなかったことを前記演算制御手段が検出した時は、その旨を報知手段で報知するように構成される請求項１記載の集合住宅用インターホンシステム。
【請求項３】
第２の通信手段を介して受信した住戸番号登録要求データ内に含まれる住戸番号が既に他のインターホンの住戸番号として不揮発メモリ内に登録されているか否かを判定する住戸番号重複判定手段を主装置に設け、前記住戸番号重複判定手段が前記受信した住戸番号が既に登録済みであると判定した場合は、制御手段が第２の通信手段により伝送通信路を介して登録不可データを送出するように構成される請求項１記載の集合住宅用インターホンシステム。
【請求項４】
前記不揮発性メモリに記憶されている各住戸の住戸番号を自動的に昇順または降順に入れ替える並び替え手段と、前記並び替えされた住戸番号を外部に昇順または降順に整列された状態で出力する外部出力手段を主装置に設けた請求項１記載の集合住宅用インターホンシステム。
【発明の詳細な説明】
【０００１】
【発明の属する技術分野】
本発明は、主装置からバス状に配線された幹線上に設置された各住戸内のインターホンに付与される住戸番号を主装置が記憶し、住戸インターホンからのセキュリティ発生情報やエントランス等からの各住戸の呼び出し、通話等の制御を予め登録された住戸アドレス番号の表示や入力操作などによって行うようにした集合住宅用インターホンステムに関する。
【０００２】
【従来の技術】
図１２及び図１３は従来の集合住宅用インターホンシステムの構成を示している。
【０００３】
図１２において、２０は主装置、２１は主装置２０から各住戸にバス状に配線された幹線であり、この幹線２１には各住戸に設置されるインターホン２２が接続されている。
【０００４】
主装置２０は、主装置２０全体を制御する制御手段２０Ａ、伝送通信路である幹線２１を介して各インターホン２２と主装置２０との間で信号を送受信する通信手段２０Ｂ、及び住戸番号を記憶する不揮発性メモリ２０Ｃから構成されている。また、主装置２０には、各住戸番号を設定登録する専用の住戸番号登録ユニット２３が接続されている。
【０００５】
インターホン２２は、図１３に示すように、各住戸毎に付与された住戸番号を設定する住戸番号設置手段２２Ａと、伝送通信路である幹線２１を介して主装置２０と通信を行う通信手段２２Ｂと、住戸番号設置手段２２Ａ及び通信手段２２Ｂを制御する演算制御手段２２Ｃを備える。
【０００６】
【発明が解決しようとする課題】
上記のような従来の集合住用インターホンシステムでは、各住戸のインターホンが主装置からバス状に配線されるため、各インターホンに住戸番号を付与しなければならないが、その住戸番号の登録は、各住戸の部屋番号をそのまま利用する場合がほとんどであるという状況下からすると、何号室の住戸番号が主装置の不揮発メモリ内に存在するのかを確認しながら、主装置に付属する入力部を操作することで行うか、もしくは専用の住戸番号登録ユニットを使用して設定登録するのが一般的である。このため、住戸番号の登録には、多くの時間と手間がかかるという問題あった。
【０００７】
本発明は、上述のような従来の課題を解決するものであり、住戸番号の設定登録をインターホンから自動的に行い、住戸番号の登録作業を簡略化することができる集合住宅用インターホンシステムを提供することを目的とする。
【０００８】
【課題を解決するための手段】
本発明の集合住宅用インターホンシステムにおいては、各住戸に設置されるインターホンに住戸番号設定手段のほかに住戸番号登録要求手段を設け、これら手段を操作することにより主装置に対して住戸番号を送出し、この住戸番号が登録可能であることが主装置で判断された時は主装置内の不揮発性メモリに上記住戸番号を登録すると共に、該当のインターホンに対して登録可能なデータを返送し、さらに、特定住戸番号認識手段を設けて、設定された住戸番号が特定の住戸番号として認識した時に、上記不揮発性メモリから当該住戸番号を削除するように構成したものである。
【０００９】
これにより、インターホンから住戸番号の登録を自動的に行うことができる。
【００１０】
【発明の実施の形態】
本発明の請求項１に記載の発明は、各住戸毎に付与された住戸番号を設定する住戸番号設置手段と、住戸番号の登録を要求する住戸番号登録要求手段と、伝送通信路へ住戸番号登録要求データを送信すると共に伝送通信路を介して住戸番号の可否データ及び登録要求ポーリングデータを受信する第１の通信手段と、住戸番号登録の可否の結果を住戸番号設定者に対して報知する報知手段と、住戸番号の登録要求が発生したことを前記登録要求手段で検知した時に、前記住戸番号設置手段で設定された住戸番号を含んだ住戸番号登録要求データを前記第１の通信手段により前記伝送通信路に送信するように制御すると共に、前記第１の通信手段により受信した住戸番号登録の可否データで住戸番号の登録の可否を認識し、その認識結果を住戸番号登録設定者に報知するように前記報知手段を制御する演算制御手段とから構成される複数のインターホンと、前記伝送通信路を介して信号を送受信する第２の通信手段と、住戸番号を記憶する不揮発性メモリと、前記第２の通信手段により受信した住戸番号登録要求データ内に含まれる住戸番号が登録可能であるか否かを判断し、登録可能と判断された場合は登録可データを、登録不可能と判断された場合は登録不可データを前記第２の通信手段により送信すると共に、前記不揮発性メモリにもし登録可能であれば前記住戸番号を記憶するように制御する制御手段とを有する主装置とを備え、前記住戸番号設置手段で設定された住戸番号が特定の住戸番号であることを認識する特定住戸番号認識手段を前記インターホンに設け、前記特定住戸番号認識手段が特定電話番号を認識した時の信号を演算制御手段が検出することにより、該演算制御手段から出力される住戸番号削除データを前記第１の通信手段を介して伝送通信路に送出し、この住戸番号削除データを前記第２の通信手段により受信した主装置の前記制御手段は該住戸番号削除データ内にある住戸番号を不揮発性メモリから削除するように構成したものであり、住戸番号の主装置への登録がインターホンから自動的になし得、また、インターホンから登録した住戸番号を削除することができる。
【００１１】
本発明の請求項２に記載の発明は、一定時間計時した時に信号を出力するタイマ手段をインターホンに設け、このタイマ手段は演算制御手段が住戸番号登録要求手段からの登録要求を検出した時に起動されると共に、このタイマ手段が一定時間計時するまでに住戸番号登録の可否データを受信できなかったことを前記演算制御手段が検出した時は、その旨を報知手段で報知するように構成したものであり、登録設定者は一定時間以内に登録の可否を知ることができる。
【００１３】
本発明の請求項３に記載の発明は、第２の通信手段を介して受信した住戸番号登録要求データ内に含まれる住戸番号が既に他のインターホンの住戸番号として不揮発性メモリ内に登録されているか否かを判定する住戸番号重複判定手段を主装置に設け、前記住戸番号重複判定手段が前記受信した住戸番号が既に登録済みであると判定した場合は、制御手段から第２の通信手段を介して伝送通信路に登録不可データを送出するように構成したものであり、住戸番号の重複登録をなくし得る。
【００１４】
本発明の請求項４に記載の発明は、不揮発性メモリに記憶されている各住戸の住戸番号を自動的に昇順または降順に入れ替える並び替え手段と、前記並び替えされた住戸番号を外部に昇順または降順に整列された状態で出力する外部出力手段を主装置に設けたものであり、住戸番号の登録を順序正しく行わなくとも整列して出力し表示し得る。
【００１５】
以下、本発明の実施の形態について、図１から図１１を用いて説明する。
【００１６】
（実施の形態１）
図１は、本発明の実施の形態１における集合住宅用インターホンシステムの概略構成を示すブロック図、図２はインターホンの構成を示すブロック図である。
【００１７】
図１において、１０は主装置、１１は主装置１０から各住戸にバス状に配線された幹線である通信伝送路であり、この通信伝送路１１には各住戸に設置されるインターホン１２が接続されている。
【００１８】
インターホン１２は、図２に示すように、各住戸毎に付与された住戸番号を設定するロータリスイッチ等の住戸番号設置手段１２１と、住戸番号の登録を要求する自動登録スイッチ等の住戸番号登録要求手段１２２と、伝送通信路１１へ住戸番号登録要求データを送信すると共に伝送通信路１１を介して住戸番号の可否データ及び登録要求ポーリングデータを受信する第１の通信手段１２３と、住戸番号登録の可否の結果を住戸番号設定者に対して報知する報知手段１２４と、住戸番号の登録要求が発生したことを登録要求手段１２２で検知した時に、住戸番号設置手段１２１で設定された住戸番号を含んだ住戸番号登録要求データを第１の通信手段１２３により伝送通信路１１に送信するように制御すると共に、第１の通信手段１２３により受信した住戸番号登録の可否データで住戸番号の登録の可否を認識し、その認識結果を住戸番号登録設定者に報知するように報知手段１２４を制御する演算制御手段１２５を備える。
【００１９】
主装置１０は、図１に示すように、伝送通信路１１を介して各インターホン１２との信号を送受信する第２の通信手段１０１と、住戸番号を記憶する不揮発性メモリ１０２と、第２の通信手段１０１により受信した住戸番号登録要求データ含まれる住戸番号が登録可能であるか否かを判断し、登録可能と判断された場合は登録可データを、登録不可能と判断された場合は登録不可データを第２の通信手段１０１により送信すると共に、不揮発性メモリ１０２にもし登録可能であれば住戸番号を記憶するように制御する制御手段１０３を備える。また主装置１０には、各住戸番号を設定登録する専用の住戸番号登録ユニット１３が接続されている。
【００２０】
次に、上記のように構成された本実施の形態１の動作について、図３を参照して説明する。
【００２１】
図３は、本実施の形態１における住戸番号の自動登録の手順を示すシーケンス図である。この図３では、３箇所の住戸に設置されたインターホン１２Ａ、１２Ｂ、１２Ｃに対しポーリングデータを送出する場合を示している。
【００２２】
まず、主装置１０はバス状の伝送通信路１１に接続されている全てのインターホン１２Ａ、１２Ｂ、１２Ｃに対して同時に住戸番号要求が有るか否かのポーリングデータを送出する。実際は、インターホンを構成する室内親機に対して登録要求ポーリングデータの送出が行われる。
【００２３】
ここで、インターホン１２Ａが登録要求ポーリングデータを受信したとすると、このインターホン１２Ａでは、住戸番号登録要求手段１２２を操作することにより出力される信号を演算制御手段１２５が受けると、住戸番号設置手段１２１で設定された住戸番号が住戸番号登録要求データと共に第１の通信手段１２３により伝送通信路１１を介して主装置１０に対し送信される。主装置１０では、住戸番号登録要求データを第２の通信手段１０１により受信し、この住戸番号登録要求データ内に含まれている住戸番号が登録可能か否かを制御手段１０３で判定する。登録可能である場合は登録可データを、登録不可能な場合は登録不可データを制御手段１０３から第２の通信手段１０１を介して伝送通信路１１に送出する。
【００２４】
登録可データまたは登録不可データを受信したインターホン１２Ａでは、その受信データに対応して演算制御手段１２５から出力される信号により報知手段１２４を制御して、インターホン１２Ａの設定登録者に住戸番号の登録結果を報知する。即ち、インターホン１２Ａが登録可のデータを受信した場合は、その報知手段１２４に、設定登録者が要求した住戸番号が主装置１０の不揮発性メモリ１０２に登録されたことを報知する。また、登録不可のデータを受信した場合は、設定登録者が要求した住戸番号が登録できなかったことを報知手段１２４に報知する。
【００２５】
以下同様にして、住戸番号登録要求手段が操作された他のインターホン１２Ｂ、１２Ｃに対して次々に行うことにより、全てのインターホンの住戸番号の自動登録を実施する。
【００２６】
上記のような本発明の実施の形態１によれば、住戸番号の登録がインターホンから自動的にできるため、住戸番号の設定操作が簡素化され、かつ住戸番号のマニュアルにより入力作業ない分だけ、住戸番号の設定ミスも軽減されるという効果が得られる。
【００２７】
（実施の形態２）
図４は、本発明の実施の形態２における集合住宅用インターホンシステムの概略構成を示すブロック図、図５はインターホンの構成を示すブロック図である。
【００２８】
図４及び図５において、図１及び図２と同一の構成要素には同一符号を付して、その構成説明を省略し、図１及び図２と異なる部分についてのみ述べる。
【００２９】
この実施の形態２において、図１及び図２と異なる点は、一定時間計時した時に信号を出力する受信タイマ手段１２６をインターホン１２に新たに付加し、この受信タイマ手段１２６は演算制御手段１２５が住戸番号登録要求手段１２２からの登録要求を検出した時に起動されると共に、この受信タイマ手段１２６が一定時間計時するまでに主装置１０から住戸番号登録の可否データを受信できなかったことを演算制御手段１２５が検出した時は、その旨を報知手段１２４で報知するように構成したところにある。
【００３０】
このように構成された集合住宅用インターホンシステムにおいて、演算制御手段１２５が住戸番号登録要求手段１２２からの登録要求信号を検出すると、受信タイマ手段１２６が起動され、その後、一定時間経過するまでに主装置１０からの登録可否データを受信タイマ手段１２６からの信号ににより演算制御手段１２５が検知した場合は、報知手段１２４を動作させて、登録可否データが受信できなかったことを設定登録者に報知する。
【００３１】
上記のような本発明の実施の形態２によれば、受信タイマ手段をインターホンに付加することにより、設定登録者は一定時間以内に登録の可否を知ることができ、その原因がバス状に配線された幹線の断線などで住戸番号の登録ができないことをいち早く知ることができるという効果が得られる。
【００３２】
（実施の形態３）
図６は、本発明の実施の形態３における集合住宅用インターホンシステムの概略構成を示すブロック図、図７はインターホンの構成を示すブロック図である。
【００３３】
図６及び図７において、図１及び図２と同一の構成要素には同一符号を付して、その構成説明を省略し、図１及び図２と異なる部分についてのみ述べる。
【００３４】
この実施の形態３において、図１及び図２と異なる点は、住戸番号設置手段１２１で設定された住戸番号が特定の住戸番号であることを認識する特定住戸番号認識手段１２７をインターホン１２に新たに付加し、この特定住戸番号認識手段１２７が特定電話番号を認識した時の信号を演算制御手段１２５が検出することにより、この演算制御手段１２５から出力される住戸番号削除データを第１の通信手段１２３を介して伝送通信路１１に送出し、主装置の制御手段は該住戸番号削除データ内にある住戸番号を不揮発性メモリから削除するように構成したところにある。
【００３５】
このように構成された集合住宅用インターホンシステムにおいて、住戸番号設置手段１２１により特定住戸番号が設定され、この特定住戸番号が特定住戸番号認識手段１２７で認識されると、その認識信号が演算制御手段１２５に出力される。この認識信号を演算制御手段１２５が検出すると、演算制御手段１２５から出力される住戸番号削除データが第１の通信手段１２３により伝送通信路１１に送出される。この住戸番号削除データを伝送通信路１１から第２の通信手段１０１により受信した主装置１０の制御手段１０３では、住戸番号削除データ内含まれる住戸番号を不揮発性メモリ１０２から削除する。
【００３６】
上記のような本発明の実施の形態３によれば、インターホンから登録した住戸番号を削除することができ、これに伴い、設定登録者は登録ミスをしてもわざわざ主装置の登録番号設定ユニットで誤った住戸番号を削除しなくとも、その場で訂正して再登録することができるという効果がある。
【００３７】
（実施の形態４）
図８は、本発明の実施の形態４における集合住宅用インターホンシステムの概略構成を示すブロック図、図９はインターホンの構成を示すブロック図である。
【００３８】
図８及び図９において、図１及び図２と同一の構成要素には同一符号を付して、その構成説明を省略し、図１と異なる部分についてのみ述べる。
【００３９】
この実施の形態４において、図１と異なる点は、受信した住戸番号登録要求データ内に含まれる住戸番号が既に他のインターホンの住戸番号として不揮発性メモリ１０２内に登録されているか否かを判定する住戸番号重複判定手段１０４を主装置１０に新たに付加し、この住戸番号重複判定手段１０４により受信した住戸番号が既に登録済みであると判定した時は、制御手段１０３から第２の通信手段１０１を介して伝送通信路１１に登録不可データを送出するように構成したところにある。
【００４０】
このように構成された集合住宅用インターホンシステムにおいて、インターホン１２の住戸番号登録要求手段１２２から第１の通信手段を介して伝送通信路１１に送出された住戸番号登録要求データを主装置１０の第２の通信手段１０１で受信し、この住戸番号登録要求データを制御手段１０３を通して住戸番号重複判定手段１０４に取り込むことによって、住戸番号登録要求データに含まれる住戸番号が既に他のインターホンの住戸番号として不揮発性メモリ１０２内に登録されているか否かを判定する。ここで、既に他のインターホンの住戸番号として登録されていた場合は、制御手段１０３から第２の通信手段１０１を介して伝送通信路１１に登録不可データを送出する。そして、この登録不可データを受信したインターホン１２では、設定登録者が要求した住戸番号が登録できなかったことを報知手段１２４に報知する。
【００４１】
上記のような本発明の実施の形態４によれば、住戸番号の重複登録によるシステムの誤動作を防止できるとともに、重複登録されているか否かを確認する作業をなくすことができる効果がある。
【００４２】
（実施の形態５）
図１０は、本発明の実施の形態５における集合住宅用インターホンシステムの概略構成を示すブロック図、図１１はインターホンの構成を示すブロック図である。
【００４３】
図１０及び図１１において、図１及び図２と同一の構成要素には同一符号を付して、その構成説明を省略し、図１と異なる部分についてのみ述べる。
【００４４】
この実施の形態５において、図１と異なる点は、不揮発性メモリ１０２に記憶されている各住戸の住戸番号を自動的に昇順または降順に入れ替える並び替え手段１０５と、この並び替え手段１０５で並び替えされた住戸番号を外部に昇順または降順に整列された状態で出力する外部出力手段１０６を主装置１０に新たに付加したところにある。
【００４５】
このように構成された集合住宅用インターホンシステムにおいて、主装置１０の第２の通信手段１０１により受信した住戸番号登録要求データ内に含まれる住戸番号は、制御手段１０３により不揮発性メモリ１０２に登録順に記憶される。そして、インターホン１２からの住戸番号の登録終了後は、この住戸番号を並び替え手段１０５により昇順または降順に並び替え、外部出力手段１０６から図示省略の表示装置や印字装置等に出力される。
【００４６】
上記のような本発明の実施の形態５によれば、住戸番号の登録は必ずしも順番通りに行う必要がなく、また登録した住戸番号と実存する部屋番号との比較や住戸番号帳票の管理を容易にできるという効果がある。
【００４７】
なお、上記の実施の形態では、住戸番号の登録要求を主装置側から送出する通信シーケンス（主装置からのポーリングに対する応答）で説明したが、本発明はこれに限らず、インターホンから登録要求を最初に送出する通信シーケンスでも同様に実施可能である。
【００４８】
【発明の効果】
以上のように本発明によれば、住戸番号の設定登録をインターホンから自動的に行うことができるとともに、住戸番号の登録作業を簡略化することができる。
【００４９】
また本発明によれば、受信タイマ手段をインターホンに付加することにより、設定登録者は一定時間以内に登録の可否を知ることができる。
【００５０】
さらに本発明によれば、インターホンに特定住戸番号認識手段を付加することにより、インターホンから登録した住戸番号を削除することができる。
【００５１】
また本発明によれば、主装置に住戸番号重複判定手段を付加することにより、住戸番号の重複登録をなくすことができる。
【００５２】
また本発明によれば、登録された住戸番号を昇順または降順に入れ替える並び替え手段及び外部出力手段を主装置に付加することにより、住戸番号を順序正しく行わなくとも昇順または降順に整列して出力できるという効果を有する。
【図面の簡単な説明】
【図１】本発明の実施の形態１による集合住宅用インターホンシステムの概略構成を示すブロック図
【図２】本発明の実施の形態１におけるインターホンの内部構成を示すブロック図
【図３】本発明の実施の形態１における住戸番号の自動登録の手順を示すシーケンス図
【図４】本発明の実施の形態２による集合住宅用インターホンシステムの概略構成を示すブロック図
【図５】本発明の実施の形態２におけるインターホンの内部構成を示すブロック図
【図６】本発明の実施の形態３による集合住宅用インターホンシステムの概略構成を示すブロック図
【図７】本発明の実施の形態３におけるインターホンの内部構成を示すブロック図
【図８】本発明の実施の形態４による集合住宅用インターホンシステムの概略構成を示すブロック図
【図９】本発明の実施の形態４におけるインターホンの内部構成を示すブロック図
【図１０】本発明の実施の形態５による集合住宅用インターホンシステムの概略構成を示すブロック図
【図１１】本発明の実施の形態５におけるインターホンの内部構成を示すブロック図
【図１２】従来における集合住宅用インターホンシステムの概略構成を示すブロック図
【図１３】従来におけるインターホンの内部構成を示すブロック図
【符号の説明】
１０  主装置
１０１  第２の通信手段
１０２  不揮発性メモリ
１０３  制御手段
１０４  住戸番号重複判定手段
１０５  並び替え手段
１０６  外部出力手段
１１  伝送通信路
１２  インターホン
１２１  住戸番号設定手段
１２２  住戸番号登録要求手段
１２３  第１の通信手段
１２４  報知手段
１２５  演算制御手段
１２６  受信タイマ手段
１２７  特定住戸番号認識手段
１３  住戸番号登録ユニット
【図１】
0003636549.tif 000002
【図２】
0003636549.tif 000003
【図３】
0003636549.tif 000004
【図４】
0003636549.tif 000005
【図５】
0003636549.tif 000006
【図６】
0003636549.tif 000007
【図７】
0003636549.tif 000008
【図８】
0003636549.tif 000009
【図９】
0003636549.tif 000010
【図１０】
0003636549.tif 000011
【図１１】
0003636549.tif 000012
【図１２】
0003636549.tif 000013
【図１３】
0003636549.tif 000014